(57)【要約】【課題】構成素子を簡単に他の電気的構成部材と接続して電気回路を形成できるように構成することである。【解決手段】電気的構成素子（１）、とりわけコンデンサであって、該構成素子（１）は電気的接続接点（３）を有する形式のものにおいて、接続接点（３）は、無ハンダでのカット・クランプ接続配線のために、フォーク状のカット・クランプ接点（５）を有する。【選択図】　　　図２
2004064078.tif 000002
【特許請求の範囲】
【請求項１】
電気的構成素子（１）、とりわけコンデンサであって、該構成素子（１）は電気的接続接点（３）を有する形式のものにおいて、
接続接点（３）は、無ハンダでのカット・クランプ接続配線のために、フォーク状のカット・クランプ接点（５）を有する、
ことを特徴とする電気的構成素子。
【請求項２】
カット・クランプ接点（５）はその伸張方向を以て相互に平行に配置されている、請求項１記載の構成素子。
【請求項３】
フォーク状のカット・クランプ接点（５）は、構成素子（１）の相互に離背する端面側に配置されており、とりわけ相互に対向する端面側に配置されている、請求項１または２記載の構成素子。
【請求項４】
少なくとも１つの接続接点（３）は側方に相互に離間された２つのカット・クランプ接点（５）を有し、該カット・クランプ接点はその固定端部において一体的に相互に接続されている、請求項１から３までのいずれか１項記載の構成素子。
【請求項５】
接続接点（３）はそのカット・クランプ接点（５）に対向する端部において、嵌め込み補助（７）を形成するために角付けられている、請求項１から４までのいずれか１項記載の構成素子。
【請求項６】
少なくとも２つの電極を有するフィルムコンデンサとして構成されており、前記電極はそれぞれ複数の電極層を有し、
個々の電極の電極層はそれぞれスクープ層（２）によって相互に接続されており、
電気的接続接点（３）はスクープ層（２）に設けられており、有利にはこれと溶接されている、請求項１から５までのいずれか１項記載の構成素子。
【請求項７】
接続接点（３）は、横ウェブ（８）により相互に接続された２つの長手脚部を有するＨ形状に構成されており、
該長手脚部は横ウェッブ（８）の両側にそれぞれ１つの脚部（９，１０）を有し、
長手脚部はそれぞれ一方の脚部（９）においてはスクープ層（２）と接続されており、他方の脚部（１０）においてはカット・クランプ接点（５）を有する、請求項１から６までのいずれか１項記載の構成素子。
【請求項８】
中央面（１１）および／または中央線（１２）を基準にして対称に構成されている、請求項１から７までのいずれか１項記載の構成素子。
【発明の詳細な説明】
【０００１】
【発明の属する技術分野】
本発明は、電気的構成素子、とりわけコンデンサに関するものであり、この構成素子は電気的接続接点を有している。
【０００２】
【従来の技術】
実際にはすでに、接続接点が接続ワイヤとしてまたは細いブレードテープとして構成されており、接続接点がそれぞれ固定端部を以て構成素子の電極と接続されている、コンデンサとして構成された構成素子は公知である。この構成素子に対向する自由端部を以て接続ワイヤまたはブレードテープは導体路基板とハンダ付けされる。このようにして作製された電気回路は、比較的大きなスペースを必要とするという欠点を有する。接続ワイヤまたはブレードテープを導体路基板とハンダ付けすることもある程度の製造コストと結び付いている。
【０００３】
【発明が解決しようとする課題】
本発明の課題は、冒頭に述べた形式の構成素子を簡単に他の電気的構成部材と接続して電気回路を形成できるように構成することである。
【０００４】
【課題を解決するための手段】
この課題は、接続接点が無ハンダでのカット・クランプ接続配線のために、フォーク状のカット・クランプ接点を有することにより解決される。
【０００５】
【発明の実施の形態】
有利には、カット・クランプ接点を有する構成素子を他の電気的構成部材および／または巻線ワイヤの接続ワイヤに直接挿入し、これと接触接続させることができる。これにより付加的な補助手段、例えば導体路基板および／またはハンダ手段が節約される。この構成素子によりまた、他の電気的構成部材と構造容積およびコストを節約した接続が可能になる。
【０００６】
カット・クランプ接点をその伸張方向を以て相互に平行に配置すると有利である。この場合、構成素子はさらに容易に他の電気的構成部材の接続ワイヤに挿入可能または押圧可能となる。この場合は、構成素子に設けられた複数のカット・クランプ接点を１つの作業工程で同時に他の構成部材の接続ワイヤと接続することができる。
【０００７】
本発明の有利な実施例では、フォーク状のカット・クランプ接点が構成素子の相互に離背する端面側に配置されており、とりわけ相互に対向する端面側に配置されている。カット・クランプ接点を構成素子の両側に配置することにより、カット・クランプ接点を他の構成部材の接続ワイヤにさらに簡単に押圧することができる。このことは、構成素子のカット・クランプ接点とは反対側の裏面に圧力を加えることにより行われる。
【０００８】
少なくとも１つの接続接点が側方で相互に離間された２つのカット・クランプ接点を有し、これらが固定端部で一体的に相互に接続されると有利である。接続接点は場合により、他の電気的構成部材の複数の接続ワイヤに同時に挿入することもでき、これによりこれらを相互にかつ接続接点と接続することができる。相互に離間されたカット・クランプ接点によってさらに、カット・クランプ接点の押圧の際に電気的構成素子が側方に傾斜するのが回避される。
【０００９】
本発明の有利な実施形態では、接続接点がそのカット・クランプ接点に対向する端部で嵌め込み補助を形成するために角付けられている。カット・クランプ接点を他の電気的構成部材の接続ワイヤに押圧するために必要な圧力は、この嵌め込み補助において比較的大きな面積で接続接点に伝達される。これにより電気的構成部材はさらに容易に他の電気的構成部材と接続することができる。
【００１０】
本発明の有利な実施形態では、電気的構成素子が少なくとも２つの電極を備えるフィルムコンデンサとして構成されており、電極はそれぞれ複数の電極層を有している。ここで個々の電極の電極層はそれぞれスクープ層によって相互に接続されており、電気的接続接点はこのスクープ層に取り付けられ、有利にはこれと溶接される。このことによりコンデンサの電極と接続接点との間で良好な電気接続が得られる。接続接点をスクープ層と溶接することはさらに、電気工業分野に存在する標準的工具によって安価に実行することができる。電気的構成素子はフィルムコンデンサ、コイルコンデンサ、またはセラミックコンデンサとして構成することができる。
【００１１】
接続接点が、横ウェッブにより相互に接続された２つの長手脚部を有するようほぼＨ形状に構成されていると有利である。この長手脚部は横ウェッブの両側にそれぞれ１つの脚部を有し、長手脚部はそれぞれその脚部においてスクープ層と接続されており、その他方の脚部にカット・クランプ接点を有する。この場合、接続接点は材料を節約して作製することができるが、それでもなお高い機械的荷重容量を有している。
【００１２】
本発明の有利な実施例では、構成素子が中央面および／または中央線を基準にして対称に構成されている。この場合構成素子はさらに安価に製造することができる。さらに回路装置に取り付ける際に良好に取り扱うことができる。
【００１３】
【実施例】
全体が１により示された電気的構成素子は、誘電体によって相互に離間された２つの電極を有するフィルムコンデンサとして構成されている。この電極はそれぞれ図面には詳細に示されていない複数の電極層を有する。異なる電極の相互に隣接する電極層は、それぞれその間にある誘電層によって相互に離間されている。電極層および誘電層から形成される層ステープルはほぼ正方形に構成されている。
【００１４】
個々の電極の電極層はそれぞれそれ自体公知のようにこれに対して横に延在するスクープ層２によって相互に接続されている。図１と図３には、スクープ層２が構成素子１の相互に離背する端面側に配置されていることが示されている。
【００１５】
スクープ層２にはそれぞれ１つの電気的接続接点３が設けられており、この接続接点は溶接点４によってスクープ層２と接続されている。接続接点３は有利には金属材料からなり、例えば打ち抜き過程を用いてメタルシートから作製することができる。
【００１６】
配線された別の電気的構成部材に接続接点３を無ハンダでカット・クランプ接続配線するために、接続ワイヤ、ケーブル等はそれぞれフォーク状の２つのカット・クランプ接点５を有する。図２から分るように、カット・クランプ接点５はそれぞれスリットにより相互に離間された２つのフォークアーム６を有し、このフォークアームは自由端部に向かって先細になっている。フォークアーム６は相互に向き合う内側に切断エッジを有する。フォークアーム６間の間隔はそれぞれこれらに挟み込まれるワイヤ等の寸法よりも小さく選択されている。これによりワイヤ等はフォークアーム６の間に挟み込まれる際にしっかりとクランプされる。電気的構成素子１はこれによって簡単に別の電気的構成部材、接続ワイヤ等と１つのコンパクトな回路構成へと接続することができる。
【００１７】
図２と図３には、カット・クランプ接点５がその伸張方向を以て相互にほぼ平行に配置されており、その自由端部も同じ方向を指していることが示されている。これによりカット・クランプ接点５全体は、機械的圧力をカット・クランプ接点５とは反対側の構成素子裏面に及ぼすことによって、別の電気的構成部材等の接続ワイヤと同時に接続することができる。カット・クランプ接点５を圧入する際に構成素子１の層ステープルでの機械的負荷をできるだけ小さく保持するため、接続接点３はカット・クランプ接点から離れる側の端部において嵌め込み補助７を形成するためにそれぞれ別の接続接点４に向かって角付けられている。嵌め込み補助７を介して、カット・クランプ接点５を圧入するのに必要なプレス力が接続接点に直接導かれる。
【００１８】
図２から分るように、接続接点３はそれぞれ側方に相互に離間した２つのカット・クランプ接点５を有している。これらはその伸長面を以てスクープ層２に対して平行に配置されており、その固定端部において横ウェッブ８によって一体的に相互に接続されている。ここで接続接点３は、横ウェッブ８により相互に接続された２つの長手脚部を有するＨ形状に構成されている。長手脚部は横ウェッブ８の両側にそれぞれ１つの脚部９，１０を有する。それらのうち脚部９はスクープ層２と接続されており、脚部１０はカット・クランプ接点５を有している。
【００１９】
図１から図３にはさらに、構成素子１が中央面１１および中央線１２を基準にして対称であることが示されている。
【００２０】
コンデンサとして構成された電気的構成素子１は電気的接続接点３を有し、この接続接点は無ハンダでカット・クランプ接続配線するためにフォーク状のカット・クランプ接点５を有する。電気的構成素子１はこれにより簡単に、配線された電気的構成部材と電気回路を形成して接続することができる。
【図面の簡単な説明】
【図１】電気的コンデンサ構成素子の平面図である。
【図２】コンデンサ構成素子の側面図であり、無ハンダでカット・クランプ接続配線するために設けられたカット・クランプ接点が良好に示されている。
【図３】図２のコンデンサ構成素子をＩＩＩにより示した方向から見た平面図である。
【符号の説明】
１　電気的構成素子
２　スクープ層
３　接続接点
４　溶接点
５　カット・クランプ接点
６　フォークアーム
【図１】
2004064078.tif 000003
【図２】
2004064078.tif 000004
【図３】
2004064078.tif 000005